(57)【要約】【課題】  サーバが提供するサイトに、ユーザがアクセスしたときに、ユーザの操作によるリンク情報を登録するとともに、登録されたリンク情報を他の情報資源と区別して表示すること。【解決手段】  サーバ１０が提供するサイト１０ａに、複数のユーザがそれぞれクライアントシステム１２から通信手段１４を介してアクセスすると、ユーザによって選択される複数の所定情報資源それぞれへのリンク情報をアイコン化した後、各アイコンＩを所定の形式で配列させたリンクリストＬをマイリンク１１０に表示させ、サイト１０ａにリンクした所定のコンテンツページをクライアントシステム１２に提供し、ユーザの操作に応答して、アイコンリストに当該コンテンツページへのリンク情報を登録し、その内容をコンテンツページの所定の位置に表示する。【選択図】        図１８
2006227872.tif 000002
【特許請求の範囲】
【請求項１】
一つ又は複数のサーバが提供するサイトに、複数のユーザがそれぞれクライアントシステムから通信手段を介して接続できるように構成し、前記サーバは各クライアントシステムに必要な画面を表示させ、このクライアントシステムがこの画面を介して前記サーバによって提供されるサイトに関連したサービスが受けられるようにした情報処理システムにおいて、前記サーバは、各クライアントシステムの表示手段に前記サイトへのウェブページを表示する手段と、アクセス要求を行ったユーザに対してユーザ登録及び又は登録ユーザの認証を実行する手段と、前記ユーザによって前記サイトにユーザ毎のホームページを登録可能にした手段と、前記ウェブページの所定の位置に配置された各ユーザ情報表示部に、ユーザによって選択される複数の所定情報資源それぞれへのリンク情報をアイコン化し、複数のアイコンを所定の形式で配列させたアイコンリストを表示させる手段と、前記サイトにリンクした所定のコンテンツページを前記クライアントシステムに提供する手段と、前記アイコンリストに当該コンテンツページへのリンク情報を登録させるための入力手段と、当該入力手段がユーザによって操作されると、当該コンテンツページに対応するアイコンを前記アイコンリストに追加されて、対応するコンテンツへのリンク情報を前記アイコンリストに登録する手段と、前記アイコンリストを、ユーザが前記サイトにアクセスしている間、常時コンテンツページの所定の位置に表示させる手段と、前記ユーザによって前記アイコンンリスト中の複数のアイコンの配置を編集可能にする手段と、前記ホームページには対応するユーザの前記アイコンリストを表示させる手段と、を備えてなる情報処理システム。
【発明の詳細な説明】
【技術分野】
【０００１】
本発明は、サーバクライアントシステムを利用した情報処理システムに関するものである。
【背景技術】
【０００２】
インターネット経由でアクセルされるサーバによってクライアントシステムに提供されるサイトやホームページに、所定のリンク情報が登録されている事は良く知られたことである。ユーザはこのリンク情報を介して、リンク先の情報資源（他ホームページやサイト内のコンテンツなど）にアクセスすることができる。
【発明の開示】
【発明が解決しようとする課題】
【０００３】
しかしながら、サーバが提供する各種インターネットサービスにアクセスしたユーザが、自分の趣向に基づいてリンク情報を登録でき、このリンク情報を他の情報資源と区別できるように表示するようにしたシステムは、従来存在しなかった。
本発明の課題は、サーバが提供するサイトに、ユーザがアクセスしたときに、ユーザの操作によるリンク情報を登録するとともに、登録されたリンク情報を他の情報資源と区別し、画像として表示することにある。
更に、各ユーザが登録したリンク情報を他のユーザにも閲覧可能にし、画像として表示することにある。
【課題を解決するための手段】
【０００４】
前記課題を解決するために、本発明は、一つ又は複数のサーバが提供するサイトに、複数のユーザがそれぞれクライアントシステムから通信手段を介して接続できるように構成し、前記サーバは各クライアントシステムに必要な画面を表示させ、このクライアントシステムがこの画面を介して前記サーバによって提供されるサイトに関連したサービスが受けられるようにした情報処理システムにおいて、前記サーバは、各クライアントシステムの表示手段に前記サイトへのウェブページを表示させる手段と、アクセス要求を行ったユーザに対してユーザ登録及び又は登録ユーザの認証を実行する手段と、前記ユーザによって前記サイトにユーザ毎のホームページを登録可能にした手段と、前記ウェブページの所定の位置に配置された各ユーザ情報表示部に、ユーザによって選択される複数の所定情報資源それぞれへのリンク情報をアイコン化し、複数のアイコンを所定の形式で配列させたアイコンリストを表示させる手段と、前記サイトにリンクした所定のコンテンツページを前記クライアントシステムに提供する手段と、前記アイコンリストに当該コンテンツページへのリンク情報を登録させるための入力手段と、当該入力手段がユーザによって操作されると、当該コンテンツページに対応するアイコンを前記アイコンリストに追加されて、対応するコンテンツへのリンク情報を前記アイコンリストに登録する手段と、前記アイコンリストを、ユーザが前記サイトにアクセスしている間、常時コンテンツページの所定の位置に表示させる手段と、前記ユーザによって前記アイコンンリスト中の複数のアイコンの配置を編集可能にする手段と、前記ホームページには対応するユーザの前記アイコンリストを表示させる手段と、を備えてなる情報処理システムを構成したものである。
前記した手段によれば、一つ又は複数のサーバが提供するサイトに、複数のユーザがそれぞれクライアントシステムから通信手段を介してアクセスしたときに、サーバは各クライアントシステムに必要なウェブページを表示させ、サイトに関連したサービスを提供するに際して、アクセス要求を行ったユーザに対してユーザ登録及び又は登録ユーザの認証を実行するとともに、サイトでのユーザ毎のホームページを登録可能にし、その後、ウェブページの各ユーザ情報表示部に、ユーザによって選択される複数の所定情報資源それぞれへのリンク情報をアイコン化した後、各アイコンを所定の形式で配列させたアイコンリストとして表示し、サイトにリンクした所定のコンテンツページをクライアントシステムに提供する。次に、サーバは、ユーザの操作により、アイコンリストに当該コンテンツページへのリンク情報を登録したときには、当該コンテンツページに対応するアイコンをアイコンリストに追加し、対応するコンテンツへのリンク情報をアイコンリストに登録し、このアイコンリストを、ユーザがサイトにアクセスしている間、常時コンテンツページの所定の位置に表示させ、ユーザによって前記アイコンンリスト中の複数のアイコンの配置を編集可能にし、前記ホームページには対応するユーザの前記アイコンリストを表示する。従って、サーバが提供する各種インターネットサービスにアクセスしたユーザは、自分の趣向に基づいてリンク情報を登録でき、一方、サーバは、ユーザが登録したリンク情報を他の情報資源と区別できるように表示することができる。
【発明の効果】
【０００５】
本発明によれば、サーバが提供する各種インターネットサービスにアクセスしたユーザが、自分の趣向に基づいてリンク情報を登録でき、このリンク情報を他の情報資源と区別できるように表示することができる。
【発明を実施するための最良の形態】
【０００６】
以下、本発明の一実施の形態を図面に基づいて説明する。以下に説明するシステムは、図１に示すように、サーバ１０と複数のクライアントシステム１２とがインターネットなどの通信手段１４を介して接続した構成を備えている。サーバ１０は、図２に示すように、データ処理装置１６と、記憶装置１８とを主として含んで構成され、データ処理装置１６は記憶装置１８に記憶された制御プログラムに基づいて必要なデータ処理を実行し、この処理結果を通信手段１４を介してクライアントシステム１２に転送する。クライアントシステム１２は、例えば、パーソナルコンピュータ、表示手段（ＣＲＴ）、プリンタ、キーボードなどを備えており、サーバ１０のデータ処理装置１６から通信手段１４を介して転送された処理結果を表示手段（ＣＲＴ）２０に表示する。
サーバ１０にはＩＰアドレスが設定され、ユーザは自己のクライアントシステム１２からサーバ１０にアクセスすることにより、サーバ１０が提供するサイトのサービスにアクセスすることができる。
サーバ１０の記憶装置１８には、図３に示すように、サイト内の各種サービスに対応する画面を、階層的に表示するためのデータを記憶するデータ記憶領域１８ａと、ユーザによって任意に設定できるリンク情報を記録するリンク情報記録領域１８ｂと、全部或いは一部のユーザのホームページに関する情報を記録するホームページ記録領域１８ｃと、を備えている。
図４は、各クライアントシステム１２の表示手段２０のウェブページのうち各ユーザ情報表示部に表示されるリンク情報を模式的に示した図である。リンク情報は、例えば、３×３のグリッド状の合計９セルＣ０〜Ｃ８からなるリンクリストＬとして構成されている。各セルＣ０〜Ｃ８には、ブロック番号「０」〜「８」が割り付けられている。各セルＣ０〜Ｃ８に対応したリンク情報記録領域１８ｂにはユーザが希望する、リンク情報が登録される。各セルＣ０〜Ｃ８に対応したリンク情報記録領域１８ｂに登録されたリンク情報は、アイコン化されて各セルＣ０〜Ｃ８に表示される。
リンク情報は、サーバ１０に提供される記憶資源の処理領域に設定されたテーブルを組み合わせて構成される。図５はその一例を示すものであり、図５（ａ）には、ＭＥＮＵと、ＭＥＮＵに対するＫＩＮＤとを対応させたテーブルＴ１が示されている。ＢＢＳとは電子掲示板のグループのことであり、ＨＯＭＥＰＹとはホームページのグループのことであり、ＧＡＭＥとはゲームのグループのことである。図５（ｂ）はＫＩＮＤ＝１である場合の、ｃａｔｅｇｏｒｙｉｄｘを示すものであり、「１」が趣味の電子掲示板のサイトを、「２」が同世代の電子掲示板のサイトを、「３」がニュースの掲示板のサイトを示している。図５（ｃ）は、ＫＩＮＤ＝５の場合のｃａｔｅｇｏｒｙｉｄｘを示すものであり、「１」がロケットロールと題するサイトを、「２」がＰｏｋｅｒと題するサイトを、「３」がＢｌａｃｋ・Ｊａｃｋと題するサイトを示している。ＫＩＮＤとｃａｔｅｇｏｒｙｉｄｘとを組み合わせることにより、所望のサイトへのリンクが定義される。
このようにして定義されたリンク情報は、図６に示すように、ＫＩＮＤ、ｃａｔｅｇｏｒｙｉｄｘ、ＩＤ（ユーザＩＤ）、ｂｌｏｃｋ・Ｐｌａｃｅ（リンクリスト中のセルの位置）の形のテーブルＴ４で構成される。例えば、ユーザＩＤが「ｒｕｎｐｅｔｅｒ」さんのリンクリストＬには、２つのリンク情報ＫＩＮＤ=１、ｃａｔｅｇｏｒｙｉｄｘ＝１のものと、ＫＩＮＤ=３、ｃａｔｅｇｏｒｙｉｄｘ＝２のものが登録されており、前者が９つあるセルＣ０〜Ｃ８のうち、ｂｌｏｃｋ・Ｐｌａｃｅが３番目の位置（セルＣ３）に登録され、後者が０番目の位置（セルＣ０）に登録されている。
次に、リンクリストＬへ情報資源を登録する動作について説明する。先ず、クライアントシステム１２からサーバ１０のサイトにアクセスすると、図７に示すように、サイトの初期画面がクライアントシステム１２の表示手段にアクセル画面として表示される。ここで、ユーザが情報資源の一つであるゲーム１００をクリックすると、サーバ１０はクライアントシステム１２のアクセル画面に、図８に示すように、ゲーム１００のトップページ１０２を表示させる。ユーザが登録したいゲーム１００のロゴ１０４をクリックすると、サーバ１０はクライアントシステム１２のウェブページに、図９に示すように、このゲーム１００のロビー画面（ゲームの入り口を示す画面）１０６を表示させる。なお、このゲーム１００のコンテンツはサーバ１０或いはクライアントのゲームアプリケーケーションに基づくものや、ネットワーク上にある他のサイトに基づくものがある。
次に、ゲームコンテンツのロビー画面１０６に表示されている、登録ボタン１０８をユーザがクリックすると、サーバ１０は図６のテーブルＴ４のリンク情報を作成するとともに、このテーブルＴ４のリンク情報に基づいてリンクリストＬのセルＣ０〜Ｃ８のいずれかに当該ゲームコンテンツの情報資源をアイコン化して表示させる。情報資源として予めサーバ１０にアイコンサイズの画像を記憶させておくことも好適である。例えば、サーバ１０は、ＭＥＮＵとしてゲーム１００が選択されたことで、Ｋｉｎｄとして、「５」を指定し、Ｋｉｎｄ＝５として、バックギャモンが選択されたときには、ｃａｔｅｇｏｒｙｉｄｘとして、「４」を指定し、テーブルＴ４に、Ｋｉｎｄ＝５、ｃａｔｅｇｏｒｙｉｄｘ＝４に対応したｂｌｏｃｋｐｌａｃｅとして、「６」を設定する。この結果、サーバ１０は、ユーザ情報表示部としてのマイリンク１１０の６番目のセルＣ６に、図１０図に示すように、バックギャモンのアイコンＩが登録された旨を表示させる。登録を完了したときに、ユーザが図１０の画面の閉じるボタン１１２をクリックすると、サーバ１０は、ユーザのウェブページに、図１１に示す画面１１４を表示させる。ここで、ユーザがホーム１１６をクリックすると、図１２に示すように、サーバ１０は、マイリンク１１０のセルＣ６にバックギャモンのアイコンＩを表示させる。ゲームコンテンツのアイコンＩは、図９のロビー画面１０６に表示されており、サーバ１０はこのアイコンＩをそのままロビー画面１０６から読み込んで、ゲームコンテンツへのリンク情報が登録されたセルとして、例えば、セルＣ６に挿入する。リンク情報が登録されるセルＣ０〜Ｃ８の位置は、サーバ１０によって適宜決定されても良いし、ユーザが指定しても良い。例えば、ユーザがマイリンク１１０近傍の「ｍｏｒｅ」１１８をクリックすると、サーバ１０は、図１３に示すように、ユーザのウェブページにマイリンク設定画面１２２として、マイリンク１１０に対応した画面とマイリンク１１０のボックスの変更方法を表示させる。ここで、ユーザが「ｓｔｅｐ１」を選択すると、サーバ１０は、図１４（ａ）〜（ｄ）に示すように、ユーザの操作にしたがって、マイリンク設定画面１２２の内容を変更する。例えば、ユーザにより、セルＣ６のバックギャモンのアイコンＩをセルＣ１に変更する操作が実行されたときに、サーバ１０は、この操作に応答して、セルＣ６のバックギャモンのアイコンＩをセルＣ１に変更する。このあと、サーバ１０は、図１５（ａ）に示す画面を表示させ、ユーザが設定ボタン１２４をクリックすると、サーバ１０は、テーブルＴ４には、Ｋｉｎｄ＝５、ｃａｔｅｇｏｒｙｉｄｘ＝４に対応したｂｌｏｃｋｐｌａｃｅとして、「１」を設定する。ここで、ユーザがホーム１１６をクリックすると、サーバ１０は、図１５（ｂ）に示すように、トップ画面を表示させるとともに、マイリンク１１０のセルＣ１にバックギャモンのアイコンＩを表示させる。この後、サーバ１０は、マイリンク１１０の登録、変更が完了したとして、図１６に示すように、初期画面を表示する。このように、ユーザがゲームコンテンツのアイコンＩの位置をセルＣ０〜Ｃ８の中から任意に選択する操作を実行することで、アイコンＩの位置を変更することができる。
次に、リンクリストＬに登録された情報資源へのアクセスについて説明する。まず、ユーザのウェブページに、図１６に示す画面が表示されているときに、ユーザがマイリンク１１０のセルＣ１をクリックすると、サーバ１０は、テーブルＴ４を検索し、セルＣ１に対応したコンテンツとして、すなわち、Ｋｉｎｄ＝５、ｃａｔｅｇｏｒｙｉｄｘ＝４に対応したｂｌｏｃｋｐｌａｃｅとして、「１」のゲームコンテンツのバックギャモンを選択し、図１１に示すように、バックギャモンのゲームロビー１１４を表示させる。
このように、本実施例によれば、サーバ１−が提供する各種インターネットサービスにアクセスしたユーザは、自分の趣向に基づいてリンク情報を登録でき、一方、サーバ１０は、ユーザが登録したリンク情報を他の情報資源と区別して表示させることができる。
次に、フレンド登録について説明する。図１６に示す画面が表示されているときに、ユーザがホーム１１６をクリックすると、サーバ１０は、図１７に示すように、各ユーザ共通のトップページを表示させるとともに、マウスカーソルの隣にサブメニューを表示させる。ここで、ユーザが「マイホームページ」１２６を選択すると、そのユーザのホームページを表示させる。これにより、表示されたホームページを閲覧することができる。一方、ユーザが「友達申請する」１２８を選択したときには、そのユーザの承認を条件に、サーバ１０はフレンド登録を実行する。
次に、サーバ１０とクライアントシステム１２との間で行われる情報の処理方法を図１８に従って説明する。まず、サーバ１０が提供するサイト１０ａに、複数のユーザがそれぞれクライアントシステム１２から通信手段１４を介してアクセスすると（ステップＳ１）、サーバ１０は各クライアントシステム１２に必要なウェブページを表示させ（ステップＳ２）、サイト１０ａに関連したサービスを提供するための処理を開始する。例えば、アクセス要求を行ったユーザに対してユーザ登録及び又は登録ユーザの認証を実行するとともに、サイトでのユーザ毎のホームページを登録可能にする（ステップＳ３）。その後、サーバ１０は、ユーザによって選択される複数の所定情報資源それぞれへのリンク情報をアイコン化した後、各アイコンＩを所定の形式で配列させたアイコンリスト（リンクリストＬ）としてウェブページの各ユーザ情報表示部（マイリンク１１０）に表示させ、サイト１０ａにリンクした所定のコンテンツページをクライアントシステム１２に提供する（ステップＳ４）。
次に、サーバ１０は、ユーザがリンク情報を登録するための操作を実行したときには、この操作に応答して、アイコンリストに当該コンテンツページへのリンク情報を登録する（ステップＳ５）。その後、サーバ１０は、当該コンテンツページに対応するアイコンＩをアイコンリスト（リンクリスト）Ｌに追加し、対応するコンテンツへのリンク情報をアイコンリストに登録する（ステップＳ６）。このとき、サーバ１０は、このアイコンリストを、ユーザがサイトにアクセスしている間、常時コンテンツページの所定の位置に表示させ、ユーザによってアイコンンリスト（リンクリストＬ）中の複数のアイコンＩの配置を編集可能にし、ホームページ１２６には対応するユーザのアイコンリストＬを表示させる（ステップＳ７）。
【図面の簡単な説明】
【０００７】
【図１】本発明の一実施例を示す情報処理システムのブロック構成図。
【図２】サーバとクライアントシステムのブロック構成図。
【図３】サーバの記憶装置の階層構成を説明するための図。
【図４】リンクリストの構成図。
【図５】リンク情報を設定するためのテーブルの構成図。
【図６】リンク情報を格納するためのテーブルの構成図。
【図７】初期画面の表示例を示す図。
【図８】ゲームのトップページの表示例を示す図。
【図９】ロビー画面の表示例を示す図。
【図１０】マイリンク登録完了時の画面の表示例を示す図。
【図１１】選択されたゲームの表示例を示す図。
【図１２】マイリンクのブロックを変更するときの画面の表示例を示す図。
【図１３】マイリンク設定画面の表示例を示す図。
【図１４】マイリンクのブロックの変更方法を説明するための画面の表示例を示す図。
【図１５】マイリンクの設定後の画面の表示例を示す図。
【図１６】マイリンク登録・変更完了後の画面の表示例を示す図。
【図１７】フレンド登録時の画面の表示例を示す図。
【図１８】サーバとクライアントシステムとの間で実行される情報処理方法を説明するためのタイムチャート。
【符号の説明】
【０００８】
１０  サーバ
１２  クライアントシステム
１４  通信手段
１６  データ処理装置
１８  記憶装置
２０  表示手段
【図１】
2006227872.tif 000003
【図２】
2006227872.tif 000004
【図３】
2006227872.tif 000005
【図４】
2006227872.tif 000006
【図５】
2006227872.tif 000007
【図６】
2006227872.tif 000008
【図７】
2006227872.tif 000009
【図８】
2006227872.tif 000010
【図９】
2006227872.tif 000011
【図１０】
2006227872.tif 000012
【図１１】
2006227872.tif 000013
【図１２】
2006227872.tif 000014
【図１３】
2006227872.tif 000015
【図１４】
2006227872.tif 000016
【図１５】
2006227872.tif 000017
【図１６】
2006227872.tif 000018
【図１７】
2006227872.tif 000019
【図１８】
2006227872.tif 000020